【事件の表示】
　特願２００５−３６４６１０「スクリーン印刷装置」拒絶査定不服審判事件〔平成１９年　７月　５日出願公開、特開２００７−１６８０９０〕について、次のとおり審決する。
【結　論】
　本件審判の請求は、成り立たない。
【理　由】
１　手続の経緯
　本願は、平成１７年１２月１９日に出願したものであって、平成２２年８月２０日付け及び同年１２月１５日付けで手続補正がなされ、平成２３年２月２５日付けで拒絶査定がなされ、これに対し、同年５月９日付けで拒絶査定に対する審判請求がなされたものである。
　
２　本願発明
　本願請求項１に係る発明は、平成２２年１２月１５日付け手続補正後の特許請求の範囲、明細書及び図面の記載からみて、特許請求の範囲の請求項１に記載された事項により特定されるとおりのものであり、その請求項１に係る発明（以下「本願発明」という。）は、以下のとおりである。
「パターン孔が設けられたマスクプレートに基板を当接させ、前記マスクプレート上でスキージを摺動させることにより、前記パターン孔を介して基板にペーストを印刷するスクリーン印刷装置であって、
　前記基板を保持して位置決めする基板位置決め部と、前記スキージを前記マスクプレートに対して押圧するとともにマスクプレート上で水平移動させて印刷動作を行わせるスクリーン印刷部と、前記基板位置決め部およびスクリーン印刷部を閉囲するカバー部と、前記カバー部の外部に設けられ周囲の大気を吸引して外部雰囲気温度よりも低温の冷気を供給する冷気供給手段と、前記冷気供給手段から供給される冷気を前記カバー部内に導入する冷気導入手段と、前記冷気導入手段による送気経路を開閉する開閉手段と、前記カバー部内において前記マスクプレートの近傍に設けられた温度検出手段と、前記温度検出手段による温度検出結果に基づいて前記開閉手段を制御する制御手段とを備え、
　前記開閉手段は、前記冷気供給手段からの冷気を供給する送風ダクトが接続された冷気接続口と、外気に開放される冷気放出口と、前記カバー部の内部に突出する冷気吹き出し口と、前記冷気接続口から送給された冷気を前記冷気放出口または前記冷気吹き出し口へ選択的に流通させるための回転式のダンパとから成り、
　前記温度検出手段による検出温度が予め適正標準温度として定められた設定温度よりも低い場合には、前記ダンパを第一の角度の位置に回転させることにより前記冷気接続口と前記冷気放出口とを連通させて前記冷気放出口を介して前記冷気を前記カバー部外に放散し、
　前記温度検出手段による検出温度が前記適正標準温度に到達した場合には、前記ダンパを第二の角度の位置に回転させることにより前記冷気接続口と前記冷気吹き出し口とを連通させて前記冷気吹き出し口を介して前記冷気を前記カバー部内に吹き出すことを特徴とするスクリーン印刷装置。」
　
３　引用刊行物
（１）原査定の拒絶の理由に引用され、本願出願前に頒布された特開平４−２３６４９４号公報（以下「刊行物１」という。）には、以下の記載が図とともにある（下線は審決にて付した。以下同じ。）。
　ア　【請求項１】　　
印刷パターンが穿孔されたマスクの上面を、へらでクリーム半田をスキージングさせることによりクリーム半田を回路基板の所要箇所に印刷するクリーム半田の印刷装置において、少なくとも、前記マスク上のクリーム半田を回路基板に印刷する位置近傍の雰囲気を所定温度範囲および所定湿度範囲に調節する空調装置を備えてなる
クリーム半田の印刷装置
　イ　【０００７】
【実施例】以下に、本発明の実施例を添付図面に基づいて説明する。図１ないし図５は、本発明に係るクリーム半田の印刷装置の主要部を示し、図１は平面図、図２および図３は正面図、図４は左側面図、図５は右側面図である。
本発明の印刷装置は、回路基板のワークＷを装置内に搬入する入口コンベア１０、入口コンベア装置１０により搬入されたワークＷを固定するチャック装置２０、ワークＷをＸ−Ｙ−Ｚ−θ方向に移動させるトラバース装置３０、マスクＭを固定するマスク固定装置７０、マスクＭ上のクリーム半田をワークＷに印刷するスキージング装置８０、クリーム半田が印刷されたワークＷを装置外に搬出する出口コンベア装置９０、ハウジング１１０等から構成されている
　ウ　【００１０】トラバース装置
次に、トラバース装置３０について説明する。
このトラバース装置３０は、後述するチャック装置２０を載置し、入口コンベア装置１０により搬入されたワークＷをチャック装置２０に把持させた状態でＸ−Ｙ−Ｚ−θ方向に移動して、ワークＷを、入口コンベア装置１０から受け取る受取位置、スキージング装置７０によりクリーム半田を印刷する位置、印刷を終えたワークＷを出口コンベア装置９０に受け渡す受渡位置等に移動させる
Ｘ−Ｙ−Ｚ−θ方向にワークＷを移動させることにより、ワークＷとマスクＭの基準位置を合致させ、ワークＷの位置決めを正確に行う
　エ　【００４３】スキージング装置
マスク固定装置７０の上方には、スキージング装置８０がＹ軸方向に移動自在に配置される。このスキージング装置８０の構成は、図１，３，５，１７等に示される。
スキージング装置８０は、移動テーブル８１を有しており、このテーブル８１はその両端下面に固設されて垂下する側壁８１ａ，８１ｂを備えている（図３）。各側壁８１ａ，８１ｂの下端が、前述したフレーム７１の横桁７１０，７１１にＹ軸方向水平に敷設されたレールガイド８１ｃ，８１ｄを摺動することにより、テーブル８１は横桁７１０、７１１に沿ってＹ軸方向に移動可能である。図３において、右側の側壁８１ｂには、前述のレールガイド８１ｄおよび横桁７１１を跨ぐようにしてアーム８１ｅが水平外方（ワークＷと反対側）に突設されている。このアーム８１ｅの先端にはボールナット８１ｆが固着されている（図１）。一方、横桁７１１の外側壁には、ボールナット８１ｆに螺合するボールねじ８１０が両端を軸受８１０ａ，８１０ｂに軸支されて回転自在に取付けられている。また、横桁７１１の外側壁には、このボールねじ８１０を回転駆動するパルスモータ８１１も固設されている。そして、モータ８１１を作動させてボールねじ８１０を正転または逆転させることにより、ボールナット８１ｆが、従って、移動テーブル８１がＹ軸方向に移動する。
【００４４】
スキージング装置８０の移動テーブル８１には、２組のスキージ８２，８３がフローティング押圧機構８４，８５を介して吊下されている
スキージ８２はマスクＭ上のクリーム半田を
スキージングする場合に使用され
スキージ８３は
スキージングする場合に使用される
　オ　【００５１】ハンジング
本実施例の
印刷装置は、入口コンベア装置１０および出口コンベア装置９０を除いて全てハウジング１１０
に収容されている
【００５２】
ハウジング１１０の背面には、空調装置１１４と接続されるダクト１１４ａ，１１４ｂが接続されており、ハウジング１１０内はこの空調装置１１４により常時所定温度範囲に保持されている
【００５３】空調装置１１４は、図示しない操作盤により所望の温度および湿度に設定することにより、
ハウジング１１０内の温度
を検出してこれらを所定温度範囲内に常時保持する
　
　上記記載及び図面を含む刊行物１全体の記載から、刊行物１には、以下の発明が記載されていると認められる。
「印刷パターンが穿孔されたマスクの上面を、へらでクリーム半田をスキージングさせることによりクリーム半田を回路基板の所要箇所に印刷するクリーム半田の印刷装置において、少なくとも、前記マスク上のクリーム半田を回路基板に印刷する位置近傍の雰囲気を所定温度範囲および所定湿度範囲に調節する空調装置を備えてなるクリーム半田の印刷装置であって、
　前記印刷装置は、回路基板のワークを装置内に搬入する入口コンベア、入口コンベア装置により搬入されたワークを固定するチャック装置、ワークをＸ−Ｙ−Ｚ−θ方向に移動させるトラバース装置、マスクを固定するマスク固定装置、マスク上のクリーム半田をワークに印刷するスキージング装置、クリーム半田が印刷されたワークを装置外に搬出する出口コンベア装置、ハウジング等から構成されており、
　前記トラバース装置は、チャック装置を載置し、入口コンベア装置により搬入されたワークをチャック装置に把持させた状態でＸ−Ｙ−Ｚ−θ方向に移動して、ワークを、入口コンベア装置から受け取る受取位置、スキージング装置によりクリーム半田を印刷する位置、印刷を終えたワークを出口コンベア装置に受け渡す受渡位置等に移動させ、Ｘ−Ｙ−Ｚ−θ方向にワークを移動させることにより、ワークとマスクの基準位置を合致させ、ワークの位置決めを正確に行うものであり、
　前記スキージング装置の移動テーブルには、２組のスキージがフローティング押圧機構を介して吊下されており、スキージはマスク上のクリーム半田をスキージングする場合に使用されるものであり、
　前記印刷装置は、入口コンベア装置および出口コンベア装置を除いて全てハウジングに収容されており、
　前記ハウジングの背面には、空調装置と接続されるダクトが接続されており、この空調装置は、ハウジング内の温度および湿度を検出してこれらを所定温度範囲内に常時保持するクリーム半田の印刷装置。」（以下「引用発明」という。）
　
（２）原査定の拒絶の理由に引用され、本願出願前に頒布された特開昭６４−７２８４６号公報（以下「刊行物２」という。）には、以下の記載が図とともにある（下線は審決にて付した。以下同じ。）。
　ア　「前記ノズルに
冷風を送るダクトにダンパーを設け、前記温度検知器によって検知した版面温度に応じてダンパーの開度をコントロールする
　イ　「一般に、印刷機においてはインキローラの回転によりローラ表面および版胴表面が高温になり、インキが乾きその粘度に影響を与えるので印刷部を冷却する必要がある。」（第１頁右欄第１５〜１８行）
　ウ　「以下、図面を参照して本発明の一実施例について説明する。
　第１図において、印刷版Ｐが付着された版胴１の表面に近接してその軸方向に沿ってノズル２が設けられ、このノズル２からは冷風が版面に吹き付けられる。
　前記ノズル２は、第２図に示すようにそのノズル口２ａが版面に沿って伸び、冷却風が均一に版面に吹き付けられるような形状をしている。このノズル２は
ダクト３を介して熱変換器を内蔵した冷風発生装置４に連結され、前記ダクト３の中間には排出ダクト５が設けられ
この排出ダクト５内にダンパ６が回動自在に設け
　一方、
ダクト３の主管内にもダンパ７が設けられ
制御装置１０
　また前記版胴１の表面に近接して例えば赤外放射温度計のような非接触式温度検知器１１が設けられ、この温度検知器１１は第３図に示すようにガイドレール１２上を版面に沿って移動できるようになっている。この温度検知器１１は版面に沿って１又は複数個固定して設けてもよく、１つの温度検知器１１をガイドレール１２に沿って移動しつつ版面温度を検出してもよい。
　前記温度検知器１１は前記制御装置１０に接続され、この温度検知器からの信号に応じて制御装置１０は前記モータ８，９をコントロールする。すなわち、版面の
温度が例えば４０℃位に通常より高く上昇した場合には
主管のダンパ７を開くとともに排気ダクト５内のダンパ６を閉じ
版面温度か所定値より低い温度例えば１０℃のように低温になっている場合には、ダンパ６を開くとともにダンパ７を閉じて
　エ　第１図から、ダンパ７は、排気ダクト５との接続部より下流側のダクト３に設けられていることが看取できる。
　
４　対比
　ａ　本願発明と引用発明とを比較すると、引用発明の「『穿孔された』『印刷パターン』」、「マスク」、「ワーク」、「『へら』あるいは『スキージ』」、「クリーム半田」、「クリーム半田の印刷装置」、「トラバース装置」、「スキージング装置」及び「ハウジング」は、それぞれ本願発明の「パターン孔」、「マスクプレート」、「基板」、「スキージ」、「ペースト」、「スクリーン印刷装置」、「基板位置決め部」、「スクリーン印刷部」及び「カバー部」に相当する。
　ｂ　引用発明の「クリーム半田の印刷装置」は、「印刷パターンが穿孔されたマスクの上面を、へらでクリーム半田をスキージングさせることによりクリーム半田を回路基板の所要箇所に印刷する」ものであるから、パターン孔が設けられたマスクプレートに基板を当接させ、前記マスクプレート上でスキージを摺動させることにより、前記パターン孔を介して基板にペーストを印刷するスクリーン印刷装置といえる。
　ｃ　引用発明の「トラバース装置」は、「チャック装置を載置し、入口コンベア装置により搬入されたワークをチャック装置に把持させた状態でＸ−Ｙ−Ｚ−θ方向に移動して、ワークを、入口コンベア装置から受け取る受取位置、スキージング装置によりクリーム半田を印刷する位置、印刷を終えたワークを出口コンベア装置に受け渡す受渡位置等に移動させ、Ｘ−Ｙ−Ｚ−θ方向にワークを移動させることにより、ワークとマスクの基準位置を合致させ、ワークの位置決めを正確に行うもの」であるから、本願発明の「基板位置決め部」と基板を保持して位置決めする点で一致する。
　ｄ　引用発明は「スキージング装置の移動テーブルには、２組のスキージがフローティング押圧機構を介して吊下されており、スキージはマスク上のクリーム半田をスキージングする場合に使用されるもの」であるから、引用発明の「スキージング装置」と本願発明の「スクリーン印刷部」とは、「スキージをマスクプレートに対して押圧するとともにマスクプレート上で水平移動させて印刷動作を行わせる」点で一致する。
　ｅ　引用発明の「印刷装置」は「入口コンベア装置および出口コンベア装置を除いて全てハウジングに収容されて」いるから、引用発明の「ハウジング」は、基板位置決め部およびスクリーン印刷部を閉囲するカバー部といえる。
　ｆ　引用発明の「空調装置」は「接続されるダクト」で「ハウジングの背面に」接続されており、「ハウジング内の温度および湿度を検出してこれらを所定温度範囲内に常時保持する」ものであり、一般に空調装置は、周囲の大気を吸引して外部雰囲気温度を変更して空気を供給するものであるから、本願発明の「前記カバー部の外部に設けられ周囲の大気を吸引して外部雰囲気温度よりも低温の冷気を供給する冷気供給手段」と「カバー部の外部に設けられ周囲の大気を吸引して外部雰囲気温度を変更して空気を供給する空気供給手段」の点で共通し、引用発明において「空調装置」から供給される空気をハウジング内に導入する空気導入手段が有ることは当業者に自明であるから、引用発明と本願発明は、空気供給手段から供給される空気をカバー部内に導入する空気導入手段を有する点で共通する。
　ｇ　ａないしｆより、本願発明と引用発明とは、
「パターン孔が設けられたマスクプレートに基板を当接させ、前記マスクプレート上でスキージを摺動させることにより、前記パターン孔を介して基板にペーストを印刷するスクリーン印刷装置であって、
　前記基板を保持して位置決めする基板位置決め部と、前記スキージを前記マスクプレートに対して押圧するとともにマスクプレート上で水平移動させて印刷動作を行わせるスクリーン印刷部と、前記基板位置決め部およびスクリーン印刷部を閉囲するカバー部と、前記カバー部の外部に設けられ周囲の大気を吸引して外部雰囲気温度を変更して空気を供給する空気供給手段と、前記空気供給手段から供給される空気を前記カバー部内に導入する空気導入手段とを備えた
　スクリーン印刷装置。」
の点で一致し、以下の点で相違している。
［相違点１］空気供給手段及び空気導入手段について、本願発明は「外部雰囲気温度よりも低温の冷気を供給する冷気供給手段」及び「冷気供給手段から供給される冷気を前記カバー部内に導入する冷気導入手段」であるのに対し、引用発明が備えているのは、空調装置であるものの、冷気供給手段とまではいえず、引用発明が空調装置から空気を導入する手段を有することが明らかであるものの、冷気導入手段を備えているものとまではいえない点。
［相違点２］本願発明は「前記冷気導入手段による送気経路を開閉する開閉手段と、前記カバー部内において前記マスクプレートの近傍に設けられた温度検出手段と、前記温度検出手段による温度検出結果に基づいて前記開閉手段を制御する制御手段とを備え、前記開閉手段は、前記冷気供給手段からの冷気を供給する送風ダクトが接続された冷気接続口と、外気に開放される冷気放出口と、前記カバー部の内部に突出する冷気吹き出し口と、前記冷気接続口から送給された冷気を前記冷気放出口または前記冷気吹き出し口へ選択的に流通させるための回転式のダンパとから成り、前記温度検出手段による検出温度が予め適正標準温度として定められた設定温度よりも低い場合には、前記ダンパを第一の角度の位置に回転させることにより前記冷気接続口と前記冷気放出口とを連通させて前記冷気放出口を介して前記冷気を前記カバー部外に放散し、前記温度検出手段による検出温度が前記適正標準温度に到達した場合には、前記ダンパを第二の角度の位置に回転させることにより前記冷気接続口と前記冷気吹き出し口とを連通させて前記冷気吹き出し口を介して前記冷気を前記カバー部内に吹き出す」と特定されているのに対し、引用発明は、送気経路を開閉する開閉手段を有しておらず、温度検出手段を備えているのか否か明らかでない点。
　
５　判断
　上記相違点１及び２について検討する。
　ａ　刊行物２には、温度がインキに与える影響を改善するべく「冷風発生装置に連結されたダクトの中間に排出ダクトを設け、前記排出ダクト内にダンパを回動自在に設け、前記排気ダクトとの接続部より下流側のダクトの主管内にもダンパを設け、温度検知器によって検知した温度に応じて、例えば、温度が４０℃位に上昇した場合には、主管のダンパを開くとともに排気ダクト内のダンパを閉じ、温度が１０℃のように低温になっている場合には、排気ダクト内のダンパを開くとともに主管のダンパを閉じる制御装置を有する印刷機。」（以下「刊行物２記載の発明」という。）が記載されている。
　ｂ　下流側が２つに分岐している送風ダクトの分岐点に回転式のダンパを設け、ダンパを第一の角度の位置に回転させることにより、分岐点より上流側の送風ダクト口と一方の下流側の送風ダクト口とを連通させ、ダンパを第二の角度の位置に回転させることにより、分岐点より上流側の送風ダクト口と他方の下流側の送風ダクト口とを連通させることは、周知技術（例えば、特開平１０−５４６４２号公報【図９】、特開平２００２−２９５９５１号公報【図２】）である。
　ｃ　引用発明と刊行物２記載の発明は、いずれもインキやクリーム半田のような温度によって影響を受ける印刷材料を被印刷体に印刷する技術で共通するから、引用発明に刊行物２記載の発明を組み合わせ、引用発明の空気供給手段に代え、刊行物２記載の発明の冷風発生装置を採用し、引用発明のダクトに代え、刊行物２記載の発明のダンパを有し排気ダクトが接続されたダクトを採用し、その際、上記ｂに記載のように、ダクトの分岐点に２つの角度の位置に回転するダンパを採用し、ダンパを回転する契機となる温度をクリーム半田の適正標準温度に合わせ、前記温度でダンパを制御する制御装置を採用し、温度検知器をクリーム半田のスキージングがなされるマスクの近傍に配置することは、当業者が容易になし得る程度のことである。
　ｄ　上記ｃのようになした引用発明は、外部雰囲気温度よりも低温の冷気を供給する冷気供給手段及び冷気供給手段から供給される冷気をカバー部内に導入する冷気導入手段を備えることになり、さらに、冷気導入手段による送気経路を開閉する開閉手段と、カバー部内においてマスクプレートの近傍に設けられた温度検出手段と、前記温度検出手段による温度検出結果に基づいて前記開閉手段を制御する制御手段とを備えることになり、前記開閉手段は、前記冷気供給手段からの冷気を供給する送風ダクトが接続された冷気接続口と、外気に開放される冷気放出口と、前記カバー部の内部に突出する冷気吹き出し口と、前記冷気接続口から送給された冷気を前記冷気放出口または前記冷気吹き出し口へ選択的に流通させるための回転式のダンパとから成り、前記温度検出手段による検出温度が予め適正標準温度として定められた設定温度よりも低い場合には、前記ダンパを第一の角度の位置に回転させることにより前記冷気接続口と前記冷気放出口とを連通させて前記冷気放出口を介して前記冷気を前記カバー部外に放散し、前記温度検出手段による検出温度が前記適正標準温度に到達した場合には、前記ダンパを第二の角度の位置に回転させることにより前記冷気接続口と前記冷気吹き出し口とを連通させて前記冷気吹き出し口を介して前記冷気を前記カバー部内に吹き出すものとなる。
　ｅ　上記ａないしｄから、引用発明において本願発明の上記相違点１及び２係る構成を採用することは当業者が容易になし得る程度のことである。
　
　以上のとおりであるから、本願発明の上記相違点１及び２に係る構成は、刊行物１に記載された発明、刊行物２に記載された発明及び周知技術に基づいて当業者が容易に想到することができたものであり、それにより得られる効果も当業者が予測できる範囲のものである。
　
６　むすび
　以上のとおり、本願発明は、刊行物１に記載された発明、刊行物２に記載された発明及び周知技術に基づいて、当業者が容易に発明をすることができたものであり、特許法第２９条第２項の規定により特許を受けることができないものである。
　よって、結論のとおり審決する。